(57)【要約】【課題】調波のレベルを低減させるためのシステムおよび方法を提供すること。【解決手段】無線通信デバイスのために無線周波数伝送回路における電力増幅器からの出力信号の調波を低減させるための電子回路であって、通信デバイスのために出力信号を生成する電力増幅器と、出力信号のために電力増幅器の出力端子に接続された回路であって、該回路は、第１のフィルタリングステージ、遅延要素、および調波フィルタを含んでいる、回路とを備えており、遅延要素は、調波フィルタと出力端子との間に配置されており、遅延要素は、出力信号にタイミング遅延を提供し、調波フィルタは、出力信号の１次の調波を減衰させる周波数カットオフポイントを有しているローパスフィルタである、電子回路。【選択図】図３
2011155677.tif 000002
【特許請求の範囲】
【請求項１】
無線通信デバイスの電力増幅器からの無線周波数信号の漏出を低減するための電子回路であって、
前記電力増幅器は、バッテリーにより給電され、
前記回路は、
印刷回路基板（ＰＣＢ）であって、前記ＰＣＢの上に前記電力増幅器が搭載されている、ＰＣＢと、
前記ＰＣＢ内の第１の電気トラックであって、前記電力増幅器の電力入力端子に接続する第１の電気トラックと、
前記第１の電気トラックおよび前記ＰＣＢ内の接地基準に接続された第１のキャパシタであって、前記第１のキャパシタは、前記電気トラックにおいて前記電力増幅器の前記入力端子からの無線周波数信号の伝送を低減する、第１のキャパシタと
を備える、電子回路。
【請求項２】
前記第１の電気トラックおよび前記第１のキャパシタに接続する第１の接続と、前記バッテリーに接続する第２の接続とを有する第１のハイフィルタチョークをさらに備える、請求項１に記載の電子回路。
【請求項３】
前記第１のキャパシタは、２ＧＨｚの周波数帯域以上の信号を減衰させるローパスフィルタを提供する、請求項１または２に記載の電子回路。
【請求項４】
前記第１のキャパシタは、０．０１μＦまたは１０００ｐｆのキャパシタンスを有する、請求項１〜３のいずれか１項に記載の電子回路。
【請求項５】
前記入力端子と第1のハイフィルタチョークとの間において前記第１の電気トラックに接続された第２のキャパシタをさらに備える、請求項１〜４のいずれか１項に記載の電子回路。
【請求項６】
前記第１の電気トラックは、前記電力増幅器の高帯域電力入力端子に接続されている、請求項１〜５のいずれか１項に記載の電子回路。
【請求項７】
前記バッテリーとハイフィルタチョークとの間に第３のキャパシタが接続されている、請求項１〜６のいずれか１項に記載の電子回路。
【請求項８】
前記第３のキャパシタは、２ＧＨｚの周波数帯域以上の信号を減衰させるローパスフィルタを提供する、請求項７に記載の電子回路。
【請求項９】
前記電力増幅器の低帯域電力入力端子に接続された第２の電気トラックと、
前記第２の電気トラックに接続された第４のキャパシタと
をさらに備える、請求項１〜８のいずれか１項に記載の電子回路。
【請求項１０】
前記第４のキャパシタは、０．０１μＦまたは３３ｐｆのキャパシタンスを有する、請求項９に記載の電子回路。
【請求項１１】
前記第２のトラックに接続された第５のキャパシタをさらに備える、請求項９または１０に記載の電子回路。
【請求項１２】
前記第２の電気トラックおよび前記第２のキャパシタに接続する第１の接続と、前記バッテリーに接続する第２の接続とを有する第２のハイフィルタチョークをさらに備える、請求項９〜１１のいずれか１項に記載の電子回路。
【請求項１３】
前記電力増幅器の出力端子に接続されたフィルタリングステージと、
前記出力信号の１次の調波を減衰させる周波数カットオフポイントを有するローパスフィルタを提供する調波フィルタと、
前記フィルタリングステージと前記調波フィルタとの間に配置された０オームコンポーネントであって、前記電力増幅器からの出力信号を遅延させる０オームコンポーネントと
をさらに備える、請求項１〜１２のいずれか１項に記載の電子回路。
【請求項１４】
請求項１〜１３のいずれか１項に記載の電子回路を備える通信デバイス。
【発明の詳細な説明】
【技術分野】
【０００１】
（発明の分野）
本明細書に記載されている発明は、概して、電子デバイスにおける電力増幅器から発出された、伝送無線周波数（ＲＦ）信号の伝送の出力を制御および調整し、調波のレベルを低減させるためのシステムおよび方法に関する。
【背景技術】
【０００２】
（背景）
現在の無線ハンドヘルドモバイル通信デバイスは、モバイルユーザが彼らの机から離れている間に、モバイルユーザが情報および通信（例えば、ｅメール、企業データ、およびスケジュール管理情報）に接することを可能にする様々な機能を実行する。そのようなデバイスはしばしば、無線伝送を用いてその他のデバイスと通信する。そのような伝送は、内部増幅器によって生成され、デバイス上の１つ以上のアンテナを介して伝送される。一般的な要件として、特定の権限が、無線デバイスの伝送局面を規制している。米国連邦通信委員会（ＦＣＣ）は、米国で販売されているデバイスに対し、そのような伝送の電気的特性を規制している。一連のＦＣＣ規則は、そのような伝送によって生成された調波の振幅に対する制限を課している。通信デバイスにおける既存の伝送回路は、基本周波数の近くで大きな信号調波を生成する傾向がある。これらの調波は、ＦＣＣ規則にしたがわないものであり得る、追加的な無線周波数ノイズを生成し得る。通常、電力増幅器からの無線周波数ノイズの主な原因は、３つ存在する：電力増幅器の出力信号に存在する信号調波；電力増幅器の出力とそれに関連する出力回路との間の、電力および／またはインピーダンスのミスマッチが原因で生成される、調波および／またはノイズ；および電力増幅器を電源（例えば、リチウムイオンバッテリーのような、バッテリー）に接続している印刷回路基板（ＰＣＢ）上の回路トレースを介して入力電力回路から漏洩する信号であって、（例えば、バッテリーの場合には）バッテリーを介してデバイスから放出する信号から生成される、無線周波数伝送。
【発明の概要】
【発明が解決しようとする課題】
【０００３】
従来技術における欠点に対処するシステムおよび方法に対する必要性が存在する。
【課題を解決するための手段】
【０００４】
（概要）
第１の局面において、無線通信デバイスのための無線周波数伝送回路における電力増幅器からの出力信号の調波を低減させるための電子回路が、提供され得る。電子回路は：印刷回路基板（ＰＣＢ）；通信デバイスのための出力信号を生成するための電力増幅器；出力信号のための電力増幅器の出力端子に接続されたＰＣＢ上に実装された回路、を含み得る。回路は、第１のフィルタリングステージ、遅延要素、および調波フィルタを含み得る。回路において、遅延要素は、調波フィルタと出力端子との間に配置され得、遅延要素は、少なくとも１つの０オームに評価されるコンポーネントを介して、出力信号に時間遅延を提供し得る。また、調波フィルタは、出力信号の１次の調波を減衰させる周波数カットオフポイントを有しているローパスフィルタであり得る。
【０００５】
この電子回路において、遅延要素は、０オームのコンポーネントであり得る。
【０００６】
この電子回路において、遅延要素は、回路におけるフィルタ要素のコンポーネントに置き換わり得る。
【０００７】
この電子回路において、調波フィルタは、遅延要素が置き換わったフィルタ要素を実装し得る。
【０００８】
この電子回路において、フィルタリングステージは、ノッチフィルタを含み得、特定の周波数帯域（例えば、５ＧＨｚの周波数帯域）の近くの信号を減衰させ得る。
【０００９】
この電子回路において、フィルタリングステージは、ローパスフィルタをさらに含み得、特定の周波数帯域（例えば、５ＧＨｚの周波数帯域）以上の信号を減衰させ得る。
【００１０】
この電子回路において、遅延要素は、フィルタ要素のコンポーネントの代わりにインダクタを利用することにより、回路におけるフィルタ要素に置き換わり得る。
【００１１】
この電子回路において、遅延要素は、ＰＣＢにおいて代替的なトラックを含み得、この代替的なトラックは、少なくとも１つの０オームのコンポーネントの挿入によって、回路に選択的に接続され、トラックと回路との間の電気的な接続を完成させ得る。
【００１２】
この電子回路は、キャパシタをさらに含み得、電力増幅器を増幅器に対するバッテリーに接続している電力接続回路のＰＣＢ内のトラックにおいて、電力増幅器からの信号の伝送を低減させ得る。
【００１３】
この電子回路において、キャパシタの組は、ハイフィルタチョークと電力増幅器との間の電力接続回路に配置され得る。さらに、キャパシタは、ローパスフィルタを提供し得、２ＧＨｚの周波数帯域以上の信号を減衰させ得る。
【００１４】
加えてまたはあるいは、この電子回路において、キャパシタは、ハイフィルタチョークとバッテリーとの間の電力接続回路に配置され得る。さらに、キャパシタは、ローパスフィルタを提供し得、２ＧＨｚの周波数帯域以上の信号を減衰させ得る。
【００１５】
加えてまたはあるいは、遅延要素は、ＰＣＢにおけるトラックであり得、このトラックは、十分な長さを有しており、信号がこの長さをトラバースするための伝播遅延を提供することによって、タイミング遅延を提供し得る。
【００１６】
また、この回路において、回路の入力ポイントは、電力増幅器の出力の電力およびインピーダンスの特性に適応するために、同調され得る。
【００１７】
第２の局面において、無線通信デバイスのための無線周波数伝送回路における電力増幅器からの出力信号の調波を低減させるための方法が、提供され得る。方法は：出力信号に対して第１のフィルタリングステージを提供すること；第１のフィルタリングステージの後に、出力信号に対して調波フィルタを提供すること；調波フィルタの後に、出力信号に対して出力ステージを提供すること；調波フィルタの前に、出力信号に対して専用の遅延要素を提供し、出力信号に対して時間遅延を与えることによって、出力信号の調波を低減させること、を含み得る。この回路において、調波フィルタは、出力信号の１次の調波を減衰させる周波数カットオフポイントを有しているローパスフィルタであり得る。
【００１８】
この方法において、遅延要素は、０オームのコンポーネントであり得る。
【００１９】
この方法において、遅延要素は、回路におけるフィルタ要素のコンポーネントに置き換わり得る。
【００２０】
この方法は、電力増幅器を増幅器のためのバッテリーに接続している電力接続回路において、電力増幅器からの信号の伝送をフィルタリングすることをさらに含み得る。
【００２１】
この方法は、その他の局面において記載される回路の特徴をさらに実装し得る。
【００２２】
その他の局面において、上述の局面の集合および部分集合の様々な組み合わせが、提供される。
【００２３】
本発明は、さらに以下の手段を提供する。
【００２４】
（項目１）  
無線通信デバイスのために無線周波数伝送回路における電力増幅器からの出力信号の調波を低減させるための電子回路であって、
該通信デバイスのために出力信号を生成するための電力増幅器と、
該出力信号のために該電力増幅器の出力端子に接続された回路であって、該回路は、第１のフィルタリングステージ、遅延要素、および調波フィルタを含んでいる、回路と
を備えており、
該遅延要素は、該調波フィルタと該出力端子との間に配置されており、該遅延要素は、該出力信号にタイミング遅延を提供し、
該調波フィルタは、該出力信号の１次の調波を減衰させる周波数カットオフポイントを有しているローパスフィルタである、電子回路。
【００２５】
（項目２）  
上記遅延要素は、０オームのコンポーネントである、項目１に記載の電子回路。
【００２６】
（項目３）  
上記遅延要素は、上記回路におけるフィルタ要素のコンポーネントに置き換わる、項目２に記載の電子回路。
【００２７】
（項目４）  
上記調波フィルタは、上記遅延要素が置き換わった上記フィルタ要素を実装する、項目３に記載の電子回路。
【００２８】
（項目５）  
上記フィルタリングステージは、ノッチフィルタを含んでおり、約５ＧＨｚの周波数帯域の信号を減衰させる、項目２〜項目４のいずれか一項に記載の電子回路。
【００２９】
（項目６）  
上記フィルタリングステージは、ローパスフィルタをさらに含んでおり、約５ＧＨｚの周波数帯域以上の信号を減衰させる、項目５に記載の電子回路。
【００３０】
（項目７）  
上記遅延要素は、上記フィルタ要素のコンポーネントの代わりにインダクタを利用することにより、上記回路におけるフィルタ要素に置き換わる、項目１に記載の電子回路。
【００３１】
（項目８）  
上記回路は、印刷回路基板「ＰＣＢ」上に実装されており、上記遅延要素は、該ＰＣＢにおいて代替的なトラックを含んでおり、該代替的なトラックは、少なくとも１つの０オームのコンポーネントの挿入によって、該回路に選択的に接続され、該トラックと該回路との間の電気的な接続を完成させる、項目１に記載の電子回路。
【００３２】
（項目９）  
上記回路は、印刷回路基板「ＰＣＢ」上に実装されており、該回路は、キャパシタをさらに含んでおり、上記電力増幅器を該増幅器のためのバッテリーに接続している電力接続回路のＰＣＢ内のトラックにおいて、該電力増幅器からの信号の伝送を低減させる、項目１に記載の電子回路。
【００３３】
（項目１０）  
上記キャパシタの組は、ハイフィルタチョークと上記電力増幅器との間の上記電力接続回路に配置されている、項目９に記載の電子回路。
【００３４】
（項目１１）  
上記キャパシタの組は、ローパスフィルタを提供し、２ＧＨｚの周波数帯域以上の信号を減衰させる、項目１０に記載の電子回路。
【００３５】
（項目１２）  
上記キャパシタの第２の組は、上記ハイフィルタチョークとバッテリーとの間の上記電力接続回路に配置されている、項目１０または項目１１に記載の電子回路。
【００３６】
（項目１３）  
上記キャパシタの第２の組は、ローパスフィルタを提供し、２ＧＨｚの周波数帯域以上の信号を減衰させる、項目１２に記載の電子回路。
【００３７】
（項目１４）  
上記回路上の入力ポイントは、上記電力増幅器の出力の電力およびインピーダンスの特性に適応するように、同調される、項目９〜項目１３のいずれか一項に記載の電子回路。
【００３８】
（項目１５）  
上記回路は、印刷回路基板「ＰＣＢ」上に実装されており、上記遅延要素は、該ＰＣＢにおけるトラックであり、該トラックは、十分な長さを有しており、該長さをトラバースする信号に、上記タイミング遅延を提供するために、伝播遅延を提供する、項目１に記載の電子回路。
【００３９】
（項目１６）  
無線通信デバイスのために、無線周波数伝送回路における電力増幅器からの出力信号の調波を低減させるための方法であって、
該出力信号に対して第１のフィルタリングステージを提供することと、
該第１のフィルタリングステージの後に、該出力信号に対して調波フィルタを提供することと、
該調波フィルタの後に、該出力信号に対して出力ステージを提供することと、
該調波フィルタの前に、該出力信号に対して専用の遅延要素を提供し、該出力信号に対して時間遅延を与えることによって、該出力信号の調波を低減させることと
を包含し、
該調波フィルタは、該出力信号の１次の調波を減衰させる周波数カットオフポイントを有しているローパスフィルタである、方法。
【００４０】
（項目１７）  
上記遅延要素は、０オームのコンポーネントである、項目１６に記載の方法。
【００４１】
（項目１８）  
上記遅延要素は、上記回路におけるフィルタ要素のコンポーネントに置き換わる、項目１７に記載の方法。
【００４２】
（項目１９）  
上記電力増幅器を該増幅器のためのバッテリーに接続している電力接続回路において、該電力増幅器からの信号の伝送をフィルタリングすることをさらに含んでいる、項目１８に記載の方法。
【００４３】
（項目２０）  
項目１〜項目１５のいずれか一項に記載の無線通信デバイスのための無線周波数伝送回路において、電力増幅器からの出力信号の調波を低減させるための電子回路を有している、無線通信デバイス。
【００４４】
（摘要）
本発明は、出力信号における調波を減衰させるためのシステムおよび方法に関する。このシステムにおいて、無線通信デバイスのために、伝送回路における電力増幅器からの出力信号の調波を低減させるための電子回路が、提供される。この回路は：印刷回路基板（ＰＣＢ）；出力信号を生成するための電力増幅器；および出力信号のための電力増幅器の出力端子に接続されているＰＣＢ上に実装された回路、を含んでいる。この回路は、第１のフィルタリングステージ；遅延要素；および調波フィルタ、を含んでいる。遅延要素は、調波フィルタと出力端子との間に配置されており、遅延要素は、少なくとも１つの０オームと評価されるコンポーネントを介して、出力信号にタイミング遅延を提供する。また、調波フィルタは、出力信号の１次の調波を減衰させる周波数カットオフポイントを有しているローパスフィルタである。
【図面の簡単な説明】
【００４５】
【図１】図１は、実施形態にしたがう、無線周波数（ＲＦ）伝送モジュールを有する電子デバイスの概略図である。
【図２】図２は、特定の内部コンポーネントおよび図１のＲＦ伝送モジュールのブロック図である。
【図３】図３は、図１のデバイスのＲＦ伝送モジュールのブロック図である。
【図４】図４は、図３のＲＦ伝送モジュールの概略図である。
【図５Ａ】図５Ａは、従来技術のシステムの電力増幅器の出力に提供されるオリジナルのインピーダンスのスミスチャートである。
【図５Ｂ】図５Ｂは、図３の伝送モジュールに追加される遅延要素を用いて電力増幅器の出力に提供されるインピーダンスのスミスチャートである。
【図６】図６は、図３のＲＦ伝送モジュールに関連する追加的な回路の概略図である。
【発明を実施するための形態】
【００４６】
ここで本発明の実施形態が、図面を参照して、単なる例示のために記載される。
【００４７】
（実施形態の説明）
概して、実施形態は、無線デバイスのＲＦ伝送モジュールの出力を制御するためのシステムおよび方法を提供する。特にＲＦ伝送は、それらの基本周波数の近くの出力信号の調波が減衰されるように制御される。実施形態は、ＲＦ伝送の出力回路において遅延要素を利用し、ＲＦ伝送のための出力信号に対し、それがデバイスのアンテナに提供される前に、タイミング遅延を導入する。以下で分かるように、この遅延は、出力信号の振幅を維持しながらも、出力信号に時間遅延を導入し、これは、出力信号の基本周波数に関連する調波を減衰させる効果を有している。
【００４８】
以下の記載および本明細書に記載される実施形態は、本開示の原理の特定の実施形態の（単数または複数の）実施例を例示することによって、提供されている。これらの実施例は、本発明のそれらの原理の例示を目的として提供されており、限定を目的としては提供されていない。以下の記載において、同じ部分は、本明細書および図面にわたって、対応する同じ参照番号を用いてマークされている。
【００４９】
実施形態の例示的詳細が、本明細書に提供される。第１に、実施形態を組み込んだデバイスの一般的なコンポーネントに関する記載が提供される。次に、実施形態の回路の例示的な特徴に関するさらなる詳細が提供される。
【００５０】
図１は、実施形態にしたがう、ポータブルな電子デバイスの一般的な特徴を提供しており、この電子デバイスは、概して１０で示されている。デバイス１０は、セル電話を有するエンハンスされたパーソナルデジタルアシスタントの機能を有するコンピューティングプラットフォームに基づいており、無線通信（ｅメール、ＳＭＳおよび音声通信を含む）を受信および送信することができる。電子デバイス１０は、その他の電子デバイス（例えば、スマートフォン、デスクトップコンピュータ、テレフォニー装置を有しているページャまたはラップトップ）の構成設計および機能に基づき得る。本実施形態において、電子デバイス１０は、ハウジング１２、ＬＣＤ１４、スピーカ１６、ＬＥＤインジケータ１８、トラックボール２０、ＥＳＣ（「エスケープ（ｅｓｃａｐｅ）」）キー２２、キーパッド２４、イヤーバッド２６およびマイクロフォン２８から構成される電話ヘッドセットを含んでいる。トラックボール２０およびＥＳＣキー２２は、デバイス１０に追加的な入力を提供するための手段として、矢印「Ａ」のパスに沿って、内側に押され得る。ハウジング１２は、当業者に想到され得る任意の適切な材料から製造され得、デバイス１０の全てのコンポーネントを収容および保持するように適切に形成され得ることに留意されたい。
【００５１】
デバイス１０のコンポーネントに関するさらなる詳細が提供される。デバイス１０は、任意の公知な無線電話システム、例えば、グローバルシステムフォーモバイルコミュニケーション（ＧＳＭ；Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多重アクセス（ＣＤＭＡ；Ｃｏｄｅ  Ｄｉｖｉｓｉｏｎ  Ｍｕｌｔｉｐｌｅ  Ａｃｃｅｓｓ）システム、ＣＤＭＡ２０００システム、セルラデジタルパケットデータ（ＣＤＰＤ；Ｃｅｌｌｕｌａｒ  Ｄｉｇｉｔａｌ  Ｐａｃｋｅｔ
Ｄａｔａ）システム、および時分割多重アクセス（ＴＤＭＡ；Ｔｉｍｅ  Ｄｉｖｉｓｉｏｎ  Ｍｕｌｔｉｐｌｅ  Ａｃｃｅｓｓ）システムを用いることにより、無線電話コールを行うように動作可能である。その他の無線電話システムは、Ｂｌｕｅｔｏｏｔｈ（登録商標）および音声をサポートする８０２．１１無線ブロードバンドの多くの形式（例えば、８０２．１１ａ、８０２．１１ｂ、８０２．１１ｇ等）を含み得る。デバイス１０は、クワッドバンド（ｑｕａｄ−ｂａｎｄ）互換性のデバイスであり、８００ＭＨｚ、９００ＭＨｚ、１８００ＭＨｚ、および１９００ＭＨｚの周波数のブロードキャスト帯域のうちの任意の１つ以上で動作するネットワークとの無線通信能力を提供する。その他の実施形態は、ボイスオーバーＩＰ（ＶｏＩＰ；Ｖｏｉｃｅ  ｏｖｅｒ  ＩＰ）タイプのストリーミングデータ通信を含み、これは、回線交換電話コールをシミュレートし得る。イヤーバッド２６は、電話コールおよびその他のサウンドメッセージを聴くために用いられ得、マイクロフォン２８は、デバイス１０に話しかけたり、サウンドメッセージを入力したりするために用いられ得る。
【００５２】
図２を参照すると、デバイス１０の機能コンポーネントが、概略図２００に提供されている。機能コンポーネントは、概して電子的、構造的、または電子機械的なデバイスである。特に、マイクロプロセッサ２０２は、デバイス１０に関連するほぼ全てのデータ、伝送、入力および出力を制御および受信するように提供されている。マイクロプロセッサ２０２は、キーパッド２４およびその他の内部デバイスに接続されるように、概略的に示されている。マイクロプロセッサ２０２は、好適には、デバイス１０およびそのコンポーネントの全体の動作を制御する。マイクロプロセッサ２０２に対する例示的なプロセッサは、Ｄａｔａ９５０（登録商標）シリーズのマイクロプロセッサ、および６２００シリーズのマイクロプロセッサを含み、それら全ては、Ｉｎｔｅｌ  Ｃｏｒｐｏｒａｔｉｏｎから入手可能である。マイクロプロセッサ２０２は、その様々な入力および出力ピンへの一連の電気的接続を介することにより、デバイス１０におけるその他の要素に接続されている。マイクロプロセッサ２０２は、ＩＲＱ入力ラインを有しており、これは、マイクロプロセッサが、様々なデバイスからの信号を受信することを可能にする。適切な割り込みファームウェアが提供され、これは、ＩＲＱライン上で検出された信号を受信したり、この信号に反応したりする。
【００５３】
マイクロプロセッサ２０２に加え、デバイス１０のその他の内部デバイスが、図２に概略的に示されている。これらは：ディスプレイ１４；スピーカ１６；キーパッド２４；通信サブシステム２０６；短距離通信サブシステム２０８；補助Ｉ／Ｏデバイス２１０；シリアルポート２１２；マイクロフォン２８のためのマイクロフォンポート２１４；フラッシュメモリ２１６（これは、データの永続性の格納を提供する）；ランダムアクセスメモリ（ＲＡＭ）２１８；クロック２２０、およびその他のデバイスサブシステム（図示されず）を含む。デバイス１０は、好適には、音声およびデータ通信能力を有している、双方向の無線周波数（ＲＦ）通信デバイスである。加えてデバイス１０は、好適には、インターネットを介して、その他のコンピュータシステムと通信する能力を有している。
【００５４】
マイクロプロセッサ２０２によって実行されるオペレーティングシステムソフトウェアは、好適には、コンピュータ読取り可能な媒体（例えば、フラッシュメモリ２１６）に格納され得るが、その他のタイプのメモリデバイス（例えば、リードオンリメモリ（ＲＯＭ）または同様の格納要素）にも格納され得る。加えて、システムソフトウェア、特定のデバイスアプリケーション、またはそれらの一部は、揮発性記憶媒体（例えば、ＲＡＭ２１８）に一時的にロードされ得る。モバイルデバイスによって受信された通信信号もまた、ＲＡＭ２１８に格納され得る。
【００５５】
マイクロプロセッサ２０２は、オペレーティングシステム機能に加えて、デバイス１０上のソフトウェアアプリケーションの実行が可能である。一連のソフトウェア（ファームウェア）アプリケーションは、概してアプリケーション２２２として同定されており、例えば音声通信モジュール２２２Ａおよびデータ通信モジュール２２２Ｂのような、基本的なデバイス動作を制御し、製造中にデバイス１０にインストールされ得るか、後でデバイス１０にダウンロードされ得る。同様に、追加的なソフトウェアモジュール、例えばソフトウェアモジュール２２２Ｎは、これは例えば、個人情報マネージャ（ＰＩＭ）アプリケーションであり得るが、製造中にデバイス１０にインストールされ得るか、後でデバイス１０にダウンロードされ得る。各アプリケーションに関連するデータは、フラッシュメモリ２１６に格納され得る。
【００５６】
通信機能（データおよび音声通信を含む）は、通信サブシステム２０６および短距離通信サブシステム２０８を介して実行される。サブシステム２０６および２０８は共に、デバイス１０によって処理される全ての通信技術に対して、信号レベルのインターフェースを提供する。様々なアプリケーション２２２は、通信をさらに処理したり、通信をログしたりするための、動作制御を提供する。通信サブシステム２０６は、受信器２２４、送信器２２６、および１つ以上のアンテナ（受信アンテナ２２８および送信アンテナ２３０として示されている）を含んでいる。加えて、通信サブシステム２０６はまた、処理モジュール、例えば、デジタル信号プロセッサ（ＤＳＰ）２３２および局所発振器（ＬＯ）２３４をも含んでいる。通信サブシステム２０６の特定の設計および実装は、デバイス１０が動作することが意図されている通信ネットワークに依存する。例えば、デバイス１０の通信サブシステム２０６は、Ｍｏｂｉｔｅｘ（登録商標）、ＤａｔａＴＡＣ（登録商標）、または汎用パケット無線サービス（ＧＰＲＳ）モバイルデータ通信ネットワークで動作し得、様々な音声通信ネットワークのうちの任意のもの、例えば、先進移動電話サービス（ＡＭＰＳ；Ａｄｖａｎｃｅｄ  Ｍｏｂｉｌｅ  Ｐｈｏｎｅ  Ｓｅｒｖｉｃｅ）、時分割多重アクセス（ＴＤＭＡ）、符号分割多重アクセス（ＣＤＭＡ）、ＣＤＭＡ２０００、パーソナル通信サービス（ＰＣＳ；Ｐｅｒｓｏｎａｌ  Ｃｏｍｍｕｎｉｃａｔｉｏｎ  Ｓｅｒｖｉｃｅ）、グローバルシステムフォーモバイルコミュニケーション（ＧＳＭ）等でも動作し得る。その他のタイプのデータおよび音声（テレフォニーの）ネットワーク（分離型および統合型の両方）もまた、デバイス１０と共に利用され得る。いずれにせよ、通信サブシステム２０６は、インスタントメッセージング（ＩＭ；ｉｎｓｔａｎｔ  ｍｅｓｓａｇｉｎｇ）システム、テキストメッセージング（ＴＭ；ｔｅｘｔ  ｍｅｓｓａｇｉｎｇ）システム、およびショートメッセージサービス（ＳＭＳ；ｓｈｏｒｔ  ｍｅｓｓａｇｅ  ｓｅｒｖｉｃｅ）システムを含む、様々な通信技術を用いることにより、デバイス１０に、その他のデバイスとの通信能力を提供する。
【００５７】
通信信号を処理することに加え、ＤＳＰ２３２は、受信器２２４および送信器２２６の制御を提供する。例えば、受信器２２４および送信器２２６において通信信号に適用される利得は、ＤＳＰ２３２に実装されている自動利得制御アルゴリズムを介して、適応制御され得る。
【００５８】
データ通信モードにおいて、受信された信号（例えば、テキストメッセージまたはＷｅｂページのダウンロード）は、通信サブシステム２０６によって処理され、マイクロプロセッサ２０２に対して入力として提供される。そして受信された信号は、マイクロプロセッサ２０２によってさらに処理され、そしてこれは、ディスプレイ１４または補助Ｉ／Ｏデバイス２１０に対する出力を生成する。デバイスのユーザはまた、キーパッド２４、トラックボール２０、および／またはその他のなんらかの補助Ｉ／Ｏデバイス２１０（例えば、タッチパッド、ロッカースイッチ、トラックボール、またはその他のなんらかの入力デバイス）を用いることにより、データアイテム（例えば、ｅメールメッセージ）を構成し得る。そして構成されたデータアイテムは、通信サブシステム２０６を経由して、通信ネットワーク１４０を介して伝送される。サブシステム２０６はまた、その遠隔システムに対し、それがいつ通信範囲外に出るかを検出し得る。
【００５９】
音声通信モードにおいて、デバイス１０の全体の動作は、受信された信号がスピーカ１６に出力され、伝送のための信号がマイクロフォン２８によって生成されることを除き、実質的にデータ通信モードに類似したものである。代替的な音声またはオーディオＩ／Ｏサブシステム（例えば、音声メッセージ録音サブシステム）もまた、デバイス１０に実装され得る。加えて、ディスプレイ１４もまた、例えば、発呼側の身元、音声コールの継続時間、またはその他の音声コール関連の情報を表示するために、音声通信モードにおいて利用され得る。
【００６０】
短距離通信サブシステム２０８は、デバイス１０と、その他の近くのシステムまたはデバイス（これらは、必ずしも同様のデバイスである必要はない）との間の通信を可能にする。例えば、短距離通信サブシステムは、同様にイネーブルにされたシステムおよびデバイスとの通信を提供するために、赤外線デバイスならびに関連する回路およびコンポーネント、あるいはＢｌｕｅｔｏｏｔｈ（登録商標）通信モジュールを含み得る。示されてはいないが、サブシステム２０８は、その信号の物理的な伝送を提供するために、送信器２２６に接続され得る。
【００６１】
電源２３６は、モバイルハンドヘルド通信デバイスの全ての電子素子に電力供給する。一実施形態において、電源２３６は、１つ以上のバッテリーを含んでいる。別の実施形態において、電源２３６は、単一のバッテリーパックであり得、特に再充電可能なバッテリーパックであり得る。電力スイッチ（図示されず）は、デバイス１０に対する「オン／オフ」スイッチを提供する。電源インターフェース（図示されず）が、ハードウェア、ファームウェア、ソフトウェア、またはそれらの要素の組み合わせで提供され得、電源２３６に対するデバイス１０におけるコンポーネントのアクセスを選択的に制御する。電源２３６からの電力は、デバイス１０における１つ以上のコンポーネント（送信器２２６におけるコンポーネントを含む）に対して提供され得る。バッテリー２３６からの電圧は、デバイス１０におけるコンポーネントによるその後の使用のために、デバイス１０における電圧レギュレータ（図示されず）に提供され得る。電力スイッチが活性化されると、アプリケーション２２２は、デバイス１０をオン状態にするように始動される。電力スイッチが不活性化されると、アプリケーション２２２は、デバイス１０をオフ状態にするようにイニシエートされる。デバイス１０に対する電力はまた、その他のデバイスによって、そしてアプリケーション２２２によって制御され得る。
【００６２】
ここで、デバイス１０からのＲＦ伝送を制御するためのシステムおよび方法に関する実施形態の局面について、さらなる詳細が提供される。図３を参照すると、送信器２２６に関するさらなる詳細が示されている。ここでは、送信器２２６は、電力増幅器３００を含んでおり、これは、ＲＦ送受信器３１０に信号を送信したり、このＲＦ送受信器３１０から信号を受信したりする。送受信器３１０を介して、ＤＳＰ２３２から送信器２２６に提供された信号は、最終的にアナログ信号に変換されることになる信号を含んでおり、この信号は変調され、アンテナ２３０を介して無線信号として伝送される。送信器２２６からＤＳＰ２３２に提供される信号は、ＤＳＰ２３２によって提供される信号の変調に関連する動作信号を含んでいる。送信器２２６において、ＤＳＰ２３２からの信号は、電力増幅器３００に提供される。例示的な電力増幅器は、６０３７Ｒ２  Ｆｒｅｅｓｃａｌｅ（登録商標）である。背景技術の節に記載されているように、望ましくない無線周波数ノイズの量における１つの要因は、電力増幅器３００に対する送信器２２６の電気的なマッチングである。示されているような電力増幅器３００は、送信器２２６が、増幅器３００の出力に対し、約５０オームの負荷として現れる場合に、より少ない追加的なノイズを生成し得る。
【００６３】
以下のコンポーネントは、増幅器３００によって生成された、アンテナ２３０を介して伝送される出力信号の出力経路に提供される。第１に、電力増幅器３００からの未加工の出力（ｒａｗ  ｏｕｔｐｕｔ）が、電圧信号を有しているアナログ信号として、フィルタモジュール３０２に提供され、このフィルタモジュールは、未加工の信号のなんらかの初期的なフィルタリングを提供する。フィルタモジュール３０２の後、（フィルタされた）信号は、遅延要素３０４に提供され、この遅延要素は、出力信号の出力レベルを減衰させることなしに、出力信号の時間遅延を機能的に提供する。出力信号が遅延された後、これは、調波フィルタ３０６に提供される。調波フィルタ３０６は、出力信号をさらに整形し、所定の周波数範囲の外にある信号をフィルタする。一実施形態において、調波フィルタ３０６に信号をさらに整形させる前に、遅延要素３０４によって出力信号を遅延させることは、出力信号における調波の追加的な減衰を提供する。
【００６４】
調波フィルタ３０６の出力は、アンテナマッチングモジュール３０８に提供され、これは、出力信号に対するなんらかの周波数マッチング回路を提供する。モジュール３０８からの出力信号は、アンテナ２３０に提供され、このアンテナは、アナログ信号を無線ラジオ信号に変換し、この変換された信号は、デバイス１０からブロードキャストされる。
【００６５】
その他の実施形態において、図３に示されているモジュールの異なる配置が提供され得るということに、留意されたい。例えば、フィルタ要素３０２および遅延要素３０４は、電力増幅器３００の出力からの位置の順序が交換され得る。さらなる例として、調波フィルタ３０６および遅延要素３０４における要素は、電力増幅器３００の出力からの位置の順序が交換され得る。さらなる追加的なモジュールが提供され得、選択されたモジュールが、送信器２２６から除去され得る。任意の配置での留意すべき特徴は、遅延要素は、好適には、コンポーネントの連鎖において、調波の実質的なフィルタリングを提供する要素（例えば、調波フィルタ３０６に提供される回路）の前に、配置され得るということである。
【００６６】
図４を参照すると、図３における送信器２２６のブロック図に示されている要素に関するさらなる詳細が提供されており、概して４００で示されている。送信器２２６の物理的な実装として、そのコンポーネントおよび回路は、典型的には、印刷回路基板（ＰＣＢ）上に提供される。当該技術分野において公知なように、ＰＣＢは、回路のコンポーネントをその上に搭載および固定するための基板を提供する。回路におけるコンポーネントの間の電気的な接続は、接続されたコンポーネントの関係のある端子の間を走っている、ＰＣＢに埋め込まれた導電性トラックによって提供され得る。回路のコンポーネントに対し、特定の位置が提供され、これらの位置は、ＰＣＢ上のシルクスクリーンに任意の回路参照識別子をともなうアウトラインで、しばしば示される。回路のコンポーネントに対する端子と整列させるために、ＰＣＢの表面上の導電性パッドが、ＰＣＢ上に提供される。このパッドは、トラックに対する端子の接触ポイントを提供する。ＰＣＢ上に回路のコンポーネントを組み立てるとき、製造ラインにおける自動化された「ピックアンドプレイス（ｐｉｃｋ  ａｎｄ  ｐｌａｃｅ）」挿入機械は、回路に対して関連のあるコンポーネントを積載し得、これらのコンポーネントをＰＣＢ上のそれらの所定された位置に挿入するようにプログラムされ得る。回路における一部のコンポーネントは、表面搭載パッケージであり得；その他のものは、スルーホールコンポーネント（ｔｈｒｏｕｇｈ−ｈｏｌｅ  ｃｏｍｐｏｎｅｎｔ）であり得；さらに他のコンポーネントは、ＰＣＢ上の適切な位置への手動の挿入を必要とし得る。コンポーネントは、一連の標準化されたパッケージサイズで提供されるので、異なるサイズのコンポーネントを、回路における意図されたコンポーネントに代えて、その配置することが可能である。
【００６７】
図３のフィルタモジュール３０２は、図４に示されており、電力増幅器３００の出力に取り付けられた出力回路に対し、電力およびインピーダンスのマッチングを提供する。回路の入力ポイントのインピーダンスおよび電力の特性の同調は、増幅器の出力の正確な特性とはマッチしないことがあり得る。フィルタモジュールの一部は、ノッチフィルタである。このフィルタは、キャパシタ４０２、レジスタ４０４、インダクタ４０８、およびキャパシタ４１０を含んでおり、ノッチフィルタを提供し、およそ５ＧＨｚの調波を低減させる。キャパシタ４０２は、モジュール３０２における別のコンポーネントであり、ＲＦカップリングおよびＤＣブロッキングのために、増幅器３００の出力と直列に配置されている。レジスタ４０４は、モジュール３０２における別のコンポーネントであり、電力増幅器のＲＦ安定性のために、接地に対するシャントとして機能している。モジュール３０２のパーツが実装されて、好適には増幅器３００に対して電力およびインピーダンスの信号のマッチングを提供する際、モジュール３０２のコンポーネントは、増幅器３００の出力にできるだけ近くに配置されることが、好適である。
【００６８】
ノッチフィルタ４０６の出力は、遅延要素３０４に提供される。回路４００において、遅延要素３０４は、回路のテンプレート（ｔｅｍｐｌａｔｅ）として、そして第２のローパスフォルタ４１２として提供されており、ノッチフィルタ４０６からの出力と直列に配置されたレジスタ４１４、ならびに接地に対するシャントとして、レジスタ４１４の各端子に配置されたキャパシタ４１６および４１８を含んでいる。遅延要素３０４の出力は、インダクタ４２０に提供され、これは、アンテナ４３０から受信された、遊離（ｅｒｒａｎｔ）放電に対する静電気保護コンポーネントとして機能し、そのような放電が電力増幅器３００に到達することを防止する。したがって、インダクタ４２０は、アンテナ４３０にできるだけ近くに配置されることが、好適である。
【００６９】
この実施形態に対し、遅延要素３０４は、選択された電気的に中立な（ｅｌｅｃｔｒｉｃａｌｌｙ  ｎｅｕｔｒａｌ）コンポーネントによって、ローパスフィルタ４１２用のコンポーネントに置換することにより、実装される。特に、遅延要素３０４は、ＰＣＢデバイス１０におけるレジスタ４１４の位置に、０オームのコンポーネントを装着（ｐｏｐｕｌａｔｅ）し、キャパシタ４１６および４１８の位置にはコンポーネントを装着しないことにより、実装される。したがって、遅延要素３０４によって提供される遅延は、フィルタ４０６の出力を０オームのコンポーネントを介しインダクタ４２０に接続しているデバイス１０のＰＣＢ上のトラックを、出力信号がトラバースするのに要する伝播時間である。一実施形態において、０オームのレジスタに対する物理的なパッケージは、「０４０２」サイズのコンポーネントである。以下に記載されるように、０オームに定められた任意のコンポーネント（０オームのコンポーネント、および特定の実装において、デバイス１０のＰＣＢに特別に実装されたトラックを含む）は、デバイス４１４の位置において用いられ得るということに、留意されたい。その他の実施形態において、遅延要素３０４は、インダクタ４２６とスイッチコネクタ４２２との間に配置されるように、移動され得る。その他の実施形態において、遅延要素３０４（またはそれの均等物）は、増幅器３００の出力とフィルタ４２４（またはそれの均等物）の入力との間の、任意の位置に配置され得る。
【００７０】
その他の実施形態において、遅延の時間の長さは、ＰＣＢにおける電力増幅器３００とフィルタ３０４との間の接続におけるトラックの長さを、事実上低減させることによって、短くされ得る。その他の実施形態において、遅延の長さは、ＰＣＢにおける電力増幅器３００とフィルタ３０４との間の接続におけるトラックの長さを、事実上増加させることによって、長くされ得る。トラックの長さを長くすることは、一連の０オームのレジスタをトラックに配置することにより、事実上達成され得る。さらに、異なる０オームのレジスタは、異なる信号のタイミング伝播特性を有し得、これは、要素３０４における遅延のタイミングの一部として、用いられ得る。一部の実施形態において、０オームのレジスタに代えて、または０オームのレジスタに加えて、インダクタを挿入することが可能であり得る。インダクタの使用は、一般に、出力信号の位相を変化させる。したがって、インダクタの使用は、遅延要素３０４に対する異なる回路およびタイミングパラメータに対して、適切であり得る。
【００７１】
その他の実施形態において、遅延は、ローパスフィルタ４１２のコンポーネントに装着されたローパスフィルタを機能させることによって、提供され得る。ローパスフィルタを機能させることは、出力のパラメータによって必要とされる、ローパスフィルタの一部を電力増幅器３００に提供するように設計され得る。そのように機能するローパスフィルタの使用は、出力信号の位相に影響し得る。その他の実施形態においては、特定の動作パラメータを有するハイパス、バンドパス、またはノッチフィルタを用いることによって、フィルタ４１２にコンポーネントを装着することが、可能であり得る。
【００７２】
なおもさらに、その他の実施形態において、追加的なトラックまたは回路が、ＰＣＢ上に提供され得、遅延要素３０４の信号経路に選択的に架橋され得る。例えば、分離した並列のトラックが、第１のギャップ接続ポイント（レジスタ４１４およびキャパシタ４１８に対する共通端子の物理的接合部において、またはその近くに存在）および第２のギャップ接続ポイント（レジスタ４１４およびキャパシタ４１６に対する共通端子において、またはその近くに存在）と共に、ＰＣＢに提供され得る。接続ポイントのギャップは、各ポイントにおいて、０オームのレジスタを装着することによって、架橋され得る。分離した並列のトラックはまた、追加的な回路網、またはそこに提供されるそのような回路網に対するパッドをも有し得る。あるいは、並列のトラックの１つの端部は、１つの接合ポイントに接続され得、並列のトラックの別の端部は、別の接合ポイントへのギャップ接続ポイントを有し得る。あるいはまたは加えて、特定のトラックは、送信器２２６の回路における任意のコンポーネントの間の接続ポイントの一部として、ＰＣＢに存在し得、これは、トラックの長さをトラバースする電圧に対し、公知の信号の伝播遅延を与える、これによって、上述のような遅延要素またはそれの均等物によって提供された遅延と同程度の遅延を与える。トラックは、遅延要素に対して上述されたように、調波フィルタの前のコンポーネントの間の任意の適切な位置に配置され得る。
【００７３】
遅延要素３０４から次の、出力調波フィルタ３０６のステージは、スイッチコネクタ４２２および調波フィルタ３０６から構成されている。スイッチコネクタ４２２は、出力信号が、調波フィルタ３０６への道程で、このスイッチコネクタをトラバースするときに、この出力信号に対して、追加的な遅延を提供し得る。スイッチコネクタは、スイッチをその通常の「閉」状態から選択的に「開く」ためのデバイスとして用いられ、テスト、製造、または修理の間に、デバイスの出力のＲＦ信号の測定を可能にする。調波フィルタ３０６は、インダクタ４２６およびキャパシタ４２８から構成された、ローパスフィルタ４２４である。キャパシタ４２８は、インダクタ４２６の各端子に配置され、それらは各々、接地に対するシャントを提供する。ローパスフィルタ４２４の出力は、フィルタ３０６の出力であり、アンテナコネクタ４３０に提供される。実施形態において、ローパスフィルタは、ＤＣから２ＧＨｚの帯域幅を提供する。これは、ＤＣＳ帯域（１７４７ＭＨｚ）およびＰＣＳ帯域（１８８０ＭＨｚ）における信号の２次および３次の調波を表す、３．４ＧＨｚ以上の調波を減衰させるために用いられる。
【００７４】
図４における要素の特定の値は、様々な周波数を同調させることによって、様々な周波数における信号が通過することを可能にするように、あるいは選択された周波数範囲における信号を減衰させるように、選択されるということに、留意されたい。
【００７５】
その他の実施形態において、様々なＰＣＢトラックが、送信器２２６の出力回路におけるコンポーネントに対して、提供され得る。したがって、遅延要素３０４は、専用の較正された遅延コンポーネントによって置換され得、キャパシタ４１６および４１８に対するパッドは、排除され得る。
【００７６】
図５Ａは、従来技術のＲＦ伝送回路の実および虚の出力成分のスミスプロットを示している。図５Ｂは、図４の回路からの実および虚の出力成分のスミスプロットを示している。図５Ａと比較すると、図５Ｂにおけるチャートは、２．４７２ＧＨｚ（これは、８２４ＭＨｚの３次の調波である）におけるマーク５の位置が、遅延要素によって顕著に変化したことを示している。
【００７７】
図６を参照すると、概略図６００は、電力増幅器３００の近くの追加的なフィルタリングコンポーネントを示している。上述の背景技術の節に記載されているように、無線周波数伝送の望ましくない根源は、ＰＣＢ上の接続トラックを介して、電力増幅器３００からその供給バッテリーに放出される、漏出伝送である。フィルタは、これらの望ましくないノイズ伝送を低減させることを助けることによって、バッテリー（例えば、バッテリー２３６）を介する電力増幅器３００の出力信号に課されるノイズおよび追加的な調波の量を低減させる。一実施形態の動作パラメータに対して、フィルタリングは、２ＧＨｚ以上の信号を減衰させるように設定され得る。
【００７８】
電力増幅器３００は、送受信器によって提供されたＲＦ信号を用いることにより、出力信号を生成する。増幅器３００に対する供給電圧は、バッテリー２３６から発生する。２つの電源、すなわちＶＢａｔ信号６０２およびＶＲｅｇ信号６０４が、提供される。ＶＢａｔは、高電流であり、３．８ボルトＤＣの電源である。ＶＲｅｇは、デバイス１０における内部電圧レギュレータ（図示されず）に入力される、低電流の電圧であり、２．７ボルトＤＣの電源である。
【００７９】
ＶＢａｔ信号６０２は、増幅器３００に提供され、フェライトビーズ６０６を介することにより、増幅器３００に対する低帯域（ＬＢ）および高帯域（ＨＢ）の電力入力ピンに対する、最終の電圧入力端子およびドライバーの電圧入力端子に提供される。ビーズ６０６は、高エネルギーのチョーク（ｃｈｏｋｅ）を提供し、増幅器３００からＶＢａｔに流出する高周波数の信号を吸収する、インダクタである。任意の均等な高周波数のチョークもまた、用いられ得る。ファライトビーズ６０６は、ＶＢａｔ６０４と電力増幅器３００との間の各電力トラックにおいて、直列に配置される。ビーズ６０６Ａは、ＨＢ電力信号とＶＢａｔとの間に配置される。バッテリーをＬＢ電力ラインに接続するＰＣＢトラックにおいて、ビーズ６０６Ｂおよび６０６Ｃの組は、回路において並列に配置され得、提供されるフィルタリングの量を増加させ得る。
【００８０】
また、キャパシタ６０８Ａおよび６０８Ｂの組は、ビーズ６０６の出力と増幅器３００の入力ピンとの間に配置される。キャパシタ６０８Ａは、０．０１μＦおよび１０００ｐＦである。キャパシタ６０８Ｂは、３３ｐＦおよび０．０１μＦである。キャパシタ６０８Ａおよび６０８Ｂは、増幅器３００から漏洩するフィードバック調波をフィルタし、最終的にＶＢａｔ信号６０２を増幅器３００に接続する、ＰＣＢのトラックに沿って放出する。
【００８１】
キャパシタ６１０は、１０ｐＦの公称値を有しており、ビーズ６０６の入力端子とＶＢａｔ信号６０２との間で、ビーズ６０６の入力側に配置される。キャパシタ６１０はまた、増幅器３００からの無線周波数の調波をフィルタするようにも機能する。
【００８２】
キャパシタ６１２は、１００μＦの公称値を有しており、同じトラック上で、キャパシタ６１０の近くに配置される。その比較的大きな値は、増幅器３００からの２次の調波をフィルタするように選択される。
【００８３】
その他の実施形態において、図４および図６に示されているキャパシタに対するその他のフィルタ回路およびその他の値が提供され得るということに、留意されたい。フィルタに対する目的の周波数は、目的の基本伝送周波数およびその調波に依存して、変更され得る。しかしながら、示されている回路に対して、それらのフィルタは、記載されているデバイス１０が、クワッドバンドの通信を提供するように、およそ２ＧＨｚの帯域幅の範囲で動作するように設計され、デバイス１０は、８００ＭＨｚ、９００ＭＨｚ、１８００ＭＨｚ、および／または１９００ＭＨｚの周波数帯域の任意の伝送の近くで生成される、２次、３次、４次、およびその他の調波を生成し得る。その他の伝送帯域および／またはその他の調波に対して、その他のフィルタリングシステムが提供され得るということに、留意されたい。
【００８４】
その他の実施形態において、出力信号の調波を減衰させる方法は、本明細書における回路に記載されたフィルタリングおよび遅延コンポーネントと互換性のある、フィルタリングおよび遅延ステップを実行することによって、提供され得る。
【００８５】
本発明は、請求の範囲と共に、本発明の実施形態を単に例示している上述の記載によって、規定される。当業者は、本明細書には明示的に議論されていないが、請求の範囲によって規定されている、本発明の範囲から逸れることなしに、上述の実施形態の特定の変更を構想し得る。
【符号の説明】
【００８６】
２２６  送信器
２３２  デジタル信号プロセッサ（ＤＳＰ）
２３６  電源
３００  電力増幅器
３０２  フィルタ要素
３０４  遅延要素
３０６  調波フィルタ
３０８  アンテナマッチングモジュール
３１０  無線送受信器
４０２、４１０、４１６、４１８、４２８、４３０  キャパシタ
４０４、４１４  レジスタ
４０６  ノッチフィルタ
４０８、４２０、４２６  インダクタ
４１２、４２４  ローパスフィルタ
４２２  スイッチコネクタ
４３０  アンテナコネクタ
【図１】
2011155677.tif 000003
【図２】
2011155677.tif 000004
【図３】
2011155677.tif 000005
【図４】
2011155677.tif 000006
【図５Ａ】
2011155677.tif 000007
【図５Ｂ】
2011155677.tif 000008
【図６】
2011155677.tif 000009